(57)【要約】      （修正有）【課題】装身具に飾られた飾りユニットを損傷することを防止することができる装飾品および装身具を提供する。【解決手段】本考案に係る装飾品は、内部空間２１を囲むと共に、外表面の反対両側にそれぞれ内部空間２１と連通する２つの貫孔２２が開くように形成されている飾りユニット２と、軸線に沿って通孔３１を有する直管状に形成され、両端部が外部に突出するように２つの貫孔２２に挿通していて２つの貫孔２２によって内部空間２１に架設されている管ユニット３と、それぞれ中空を有する環状に形成されていて管ユニット３の突出した両端部である２つの突出端部３２の一方を外嵌していると共に、中空の一端側が該一端側の外へ展開している第１の展開面４１３に形成されていて、該第１の展開面４１３がいずれか１つの貫孔２２の周りにある飾りユニット２の外表面と当接している２つの環ユニット４と、から構成されている。【選択図】図２
0003223925.tif 000002
【実用新案登録請求の範囲】
【請求項１】
所定の内部空間を囲むと共に、外表面の反対両側にそれぞれ前記内部空間と連通する２つの貫孔が開くように形成されている飾りユニットと、
軸線に沿って通孔を有する直管状に形成され、両端部が外部に突出するように前記２つの貫孔に挿通していて前記２つの貫孔によって前記内部空間に架設されている管ユニットと、
それぞれ中空を有する環状に形成されていて前記管ユニットの突出した前記両端部である２つの突出端部の一方を外嵌していると共に、前記中空の一端側が該一端側の外へ展開している第１の展開面に形成されていて、該第１の展開面がいずれか１つの前記貫孔の周りにある前記飾りユニットの外表面と当接している２つの環ユニットと、から構成されている
ことを特徴とする装飾品。
【請求項２】
前記各環ユニットは、
中心軸を有する環状に形成され、且つ、該中心軸を取り囲むと共に前記管ユニットを外嵌する貫通孔を内側に形成している内周面と、前記内周面の外側にある外周面を備えた本体部と、
それぞれ前記本体部の前記外周面から突出している複数の保持部と、
それぞれ複数の前記保持部により挟持されて保持されている複数の飾り部と、から構成されている
ことを特徴とする請求項１に記載の装飾品。
【請求項３】
前記２つの環ユニットは、それぞれ前記管ユニットにおける前記２つの突出端部を回動可能に外嵌している
ことを特徴とする請求項１に記載の装飾品。
【請求項４】
前記環ユニットは、前記本体部における前記中空の前記一端側の反対側が該反対側の外へ展開している第２の展開面に形成されていて、
前記管ユニットの前記２つの突出端部は、いずれも外側へ展開していて前記環ユニットの対応する前記第２の展開面と当接している
ことを特徴とする請求項３に記載の装飾品。
【請求項５】
前記飾りユニットは、円球状に形成されている
ことを特徴とする請求項１〜４のいずれか一項に記載の装飾品。
【請求項６】
前記飾りユニットは、複数の飾り穴を有するように構成されている
ことを特徴とする請求項１〜５のいずれか一項に記載の装飾品。
【請求項７】
前記各飾り穴は、三角形状、水滴形状、菱形状、円形状、長方形状、正方形状のいずれか１つに形成されている
ことを特徴とする請求項６に記載の装飾品。
【請求項８】
前記飾りユニットは、文字状に形成された装飾部を有するように構成されている
ことを特徴とする請求項１〜５のいずれか一項に記載の装飾品。
【請求項９】
請求項１〜請求項８のいずれか１項に記載の装飾品と、
前記装飾品における前記管ユニットの前記通孔に通すように連結されたネックレス用チェーンと、を備えている
ことを特徴とする装身具。
【請求項１０】
請求項１〜請求項８のいずれか１項に記載の装飾品と、
Ｃ字状に形成されていると共に、両端が互いに向かうように延伸していてそれぞれ前記管ユニットの前記突出端部から前記通孔に係入している２つの係合部を有している指輪用リングと、を備えている
ことを特徴とする装身具。
【請求項１１】
請求項１〜請求項８のいずれか１項に記載の装飾品と、
前記装飾品における前記管ユニットの前記通孔に通すように連結されたネックレス用チェーンと、
Ｃ字状に形成されていると共に、両端が互いに向かうように延伸していてそれぞれ前記管ユニットの前記突出端部から前記通孔に係入している２つの係合部を有している指輪用リングと、を備えている
ことを特徴とする装身具。
【考案の詳細な説明】
【技術分野】
【０００１】
本考案は装飾品に関し、特に装身具に飾られた装飾物の損傷を防止するための装飾品及び該装飾品を含む装身具に関する。
【背景技術】
【０００２】
装身具としては、例えば指輪、ネックレス、ペンダント、ピアス、イヤリング、ブレスレットなどの形態があり、通常は、ダイヤモンド、ヒスイ、ラピスラズリ、ガーネットなどの宝石、或いは、金、銀、白金、パラジウムなどの貴金属により作成された装飾物と、該装飾物を身に付けることができるようにするためのリングやチェーンなどからなるものである。
【先行技術文献】
【特許文献】
【０００３】
【特許文献１】台湾実用新案登録第Ｍ５０２３６６号明細書
【考案の概要】
【考案が解決しようとする課題】
【０００４】
しかしながら、従来の装身具は、上に飾られた宝石、ダイヤモンド、金銀などの装飾物が、例えば指輪用リング、ネックレス用チェーン、隣にある装飾物などと当たることによって損傷される恐れがある。そのため、装飾物に関する設計を改善する余地がある。
【０００５】
よって、本考案は上記問題点に鑑みて、上記欠点を解決できる装飾品を提供することを目的とする。
【課題を解決するための手段】
【０００６】
上記目的を達成すべく、本考案は以下の装飾品及び該装飾品を含む装身具を提供する。
【０００７】
即ち、本考案に係る装飾品は、所定の内部空間を囲むと共に、外表面の反対両側にそれぞれ前記内部空間と連通する２つの貫孔が開くように形成されている飾りユニットと、
軸線に沿って通孔を有する直管状に形成され、両端部が外部に突出するように前記２つの貫孔に挿通していて前記２つの貫孔によって前記内部空間に架設されている管ユニットと、
それぞれ中空を有する環状に形成されていて前記管状ユニットの２つの突出端部の一方を外嵌していると共に、前記中空の一端側が該一端側の外へ展開している第１の展開面に形成されていていずれか１つの前記２つの貫孔の周りにある前記飾りユニットの外表面と当接している２つの環ユニットと、から構成されている。
【０００８】
また、本考案に係る装身具は、上記した装飾品と、前記装飾品における前記管ユニットの前記通孔に通すように連結されたネックレス用チェーンと、を備えている。
【０００９】
また、本考案に係る装身具は、上記した装飾品と、Ｃ字状に形成されていると共に、両端が互いに向かうように延伸していてそれぞれ前記管ユニットの前記突出端部から前記通孔に係入している２つの係合部を有している指輪用リングと、を備えている。
【００１０】
また、本考案に係る装身具は、上記した装飾品と、前記装飾品における前記管ユニットの前記通孔に通すように連結されたネックレス用チェーンと、Ｃ字状に形成されていると共に、両端が互いに向かうように延伸していてそれぞれ前記管ユニットの前記突出端部から前記通孔に係入している２つの係合部を有している指輪用リングと、を備えている。
【考案の効果】
【００１１】
上記構成により、本考案に係る装飾品は、管ユニット及び２つの環ユニットによって、例えば指輪、ネックレス、ブレスレットといった装身具に付けられる際に、指輪用リング、ネックレス用チェーン、隣にある装飾物などと当たることによる飾りユニットの損傷を防止することができる。
【図面の簡単な説明】
【００１２】
【図１】本考案に係る装飾品の実施形態が示される斜視図である。
【図２】該実施形態の装飾品が示される分解斜視図である。
【図３】該実施形態の装飾品が示される断面図である。
【図４】該実施形態の環ユニットが示される断面図である。
【図５】該実施形態の飾りユニットにそれぞれ三角形状である複数の飾り穴を有することが示される斜視図である。
【図６】該実施形態の飾りユニットにそれぞれ水滴形状である複数の飾り穴を有することが示される斜視図である。
【図７】該実施形態の飾りユニットに文字から形成された装飾部を有することが示される正面図である。
【図８】該実施形態の装飾品がネックレスに使用される状態が示される斜視図である。
【図９】該実施形態の装飾品が指輪に使用される状態が示される断面図である。
【図１０】該実施形態の装飾品がネックレスと指輪との両方に使用される状態が示される断面図である。
【考案を実施するための形態】
【００１３】
図１〜図４を参照して本考案に係る装飾品１の実施形態を説明する。ここで、図１は、本考案に係る装飾品１の実施形態が示される斜視図であり、図２は、該実施形態の装飾品１が示される分解斜視図であり、図３は、該実施形態の装飾品１が示される断面図であり、また、図４は、該実施形態の環ユニット４が示される断面図である。
【００１４】
図１に示されるように、本考案に係る装飾品１は、飾りユニット２と、管ユニット３と、２つの環ユニット４と、から構成されている。
【００１５】
飾りユニット２は、図２に示されるように、所定の内部空間２１を囲むと共に、外表面の反対両側にそれぞれ内部空間２１と連通する２つの貫孔２２が開くように形成されている。
【００１６】
また、本実施形態では、飾りユニット２は、図２に示されるように、円球状に形成されている。勿論、ここで飾りユニット２の形状は、円球状に限定されず、他の実施形態において、例えば四面体、六面体、八面体などの立方体であることができる。
【００１７】
さらに、飾りユニット２は、例えばメノウ、水晶、孔雀石、ヒスイ、ダイヤモンド、真珠といった宝石類、金、銀、白金、パラジウムといった貴金属、ステンレス鋼などのものから作成することができる。
【００１８】
管ユニット３は、図２と図３に示されるように、軸線に沿って通孔３１を有する直管状に形成され、両端部（後述する突出端部３２）が外部に突出するように２つの貫孔２２に挿通していて２つの貫孔２２によって内部空間２１に架設されている。
【００１９】
また、該管ユニット３は、図３に示されるように、それぞれ飾りユニット２の２つの貫孔２２から飾りユニット２の外側に突出するように構成された２つの突出端部３２を備えている。
【００２０】
２つの環ユニット４は、図３と図４に示されるように、それぞれ中空を有する環状に形成されていて管ユニット３の２つの突出端部３２の一方を外嵌していると共に、中空の一端側（後述する貫通孔４１５の中心軸Ｌに沿った一端側）が該一端側の外へ展開している第１の展開面４１３に形成されていて、第１の展開面４１３がいずれか１つの貫孔２２の周りにある飾りユニット２の外表面と当接している。
【００２１】
より詳しく言うと、各環ユニット４は、中心軸Ｌを有する環状に形成され、且つ、該中心軸Ｌを取り囲むと共に管ユニット３を外嵌する貫通孔４１５（即ち上述の中空）を内側に形成している内周面４１１と、内周面４１１の外側にある外周面４１２と、内周面４１１から貫通孔４１５の外側へ延伸するよう展開している上述の第１の展開面４１３とを備えた本体部４１と、それぞれ本体部４１の外周面４１２から突出している複数の保持部４２と、それぞれ複数の保持部４２により挟持されて保持されている複数の飾り部４３と、から構成されている。
【００２２】
また、本実施形態では、該２つの環ユニット４は、それぞれ管ユニット３における２つの突出端部３２を回動可能に外嵌している。なお、ここで該２つの環ユニット４は、２つの突出端部３２を回動可能に外嵌することに限定されず、他の実施形態において、２つの突出端部３２を外嵌して管ユニット３に相対回転することができないように固定されても良い。
【００２３】
なお、本実施形態に係る環ユニット４は、図２に示されるように、４つの保持部４２により１つの飾り部４３を保持しているが、ここで場合によって、保持部４２の数量を変更することができる。
【００２４】
本実施形態において、各飾り部４３は、例えばメノウ、水晶、孔雀石、ヒスイ、ダイヤモンド、真珠といった宝石類、或いは、例えば金、銀、白金、パラジウムといった貴金属であることができる。
【００２５】
また、本体部４１における中空の一端側の反対側（即ち、貫通孔４１５の中心軸Ｌに沿った他端側）は、図３と図４に示されるように、該反対側の外側へ展開している第２の展開面４１４に形成されている。
【００２６】
さらに、管ユニット３の２つの突出端部３２は、図３に示されるように、いずれも外側へ展開していて環ユニット４の対応する第２の展開面４１４と当接している。
【００２７】
より詳しく言うと、各突出端部３２は、直管状に形成された第１のセクション３２１と、第１のセクション３２１と連通していると共に、第１のセクション３２１から該反対側の外側へ離れれば離れるほど、幅が増加するようにテーパ状に形成された第２のセクション３２２とに区分されていて、第２のセクション３２２の外周面が、環ユニット４の第２の展開面４１４と当接している。
【００２８】
図５〜図７を参照して本考案に係る装飾品１の飾りユニット２の模様を説明する。ここで、図５は、該実施形態の飾りユニット２にそれぞれ三角形状である複数の飾り穴２３を有することが示される斜視図であり、図６は、該実施形態の飾りユニット２にそれぞれ水滴形状である複数の飾り穴２３を有することが示される斜視図であり、また、図７は、該実施形態の飾りユニット２に文字から形成された装飾部２４を有することが示される正面図である。
【００２９】
図５と図６に示されるように、飾りユニット２は、複数の飾り穴２３を有するように構成されている。そして、各飾り穴２３は、三角形状（図５参照）、水滴形状（図６参照）、菱形状、円形状、長方形状、正方形状のいずれか１つから形成されている。勿論、ここで上記した形状に限定されず、他の実施形態において、各飾り穴２３は、例えば、星状、ハート状、ダイヤ状などであることができる。
【００３０】
また、飾りユニット２は、複数の飾り穴２３を形成することに限定されず、図７に示されるように、飾りユニット２の外表面から突出している文字状に形成された装飾部２４を有するように構成されてもよい。
【００３１】
また、本実施形態において、該装飾部２４は、図７に示されるように、漢字の「丙」を例として表示されているが、ここで漢字の「丙」に限定されず、他の実施形態において、例えば「ＬＯＶＥ」のようなアルファベット、絵文字、イラストなどであることができる。
【００３２】
なお、本考案に係る装飾品１は、複数の飾り穴２３、又は、装飾部２４を有する飾りユニット２を採用することに限定されず、図１に示されるような模様が付いていない飾りユニット２を採用しても良い。
【００３３】
図８〜図１０を参照して本考案に係る装飾品１の使用状態を説明する。ここで、図８は、該実施形態の装飾品１がネックレスに使用される状態が示される斜視図であり、図９は、該実施形態の装飾品１が指輪に使用される状態が示される断面図であり、また、図１０は、該実施形態の装飾品１がネックレスと指輪との両方に使用される状態が示される断面図である。
【００３４】
本考案に係る装飾品１は、図８〜図１０に示されるように、指輪用リング５及びネックレス用チェーン６の少なくとも１つと共に用いて装身具を構成することができる。
【００３５】
図８に示されるように、ネックレス用チェーン６は、装飾品１に対して、直管状に形成された管ユニット３の通孔３１に通すように連結され、本考案に係る装飾品１を付けるネックレスとして形成されている。なお、ここで図８は、装飾品１の近くのネックレス用チェーン６の一部を示している。
【００３６】
図９に示されるように、指輪用リング５は、Ｃ字状に形成されていると共に、両端が互いに向かうように延伸している２つの係合部５１を有している。そして、該２つの係合部５１がそれぞれ装飾品１の管ユニット３の突出端部３２から通孔３１に係入することによって、指輪用リング５と装飾品１が連結されている。
【００３７】
また、図１０に示されるように、本考案に係る装飾品１は、管ユニット３と、管ユニット３の２つの突出端部３２を外嵌している２つの環ユニット４と、の構成によって、ネックレス用チェーン６を通孔３１に通すことができることに加え、指輪用リング５の２つの係合部５１も通孔３１に係入することができる。そのため、該装飾品１は、ネックレス用チェーン６及び指輪用リング５を同時に連結することができる。
【００３８】
また、図示しないが、本考案に係る装飾品１は、指輪及びネックレスに用いる上記例に限らず、同様な構成によりブレスレットやアンクレットといった各種装身具に応用できることは自明である。
【００３９】
本考案に係る装飾品１によれば、例えば指輪、ネックレス、ブレスレットといった装身具に付けられる場合に、管ユニット３と２つの環ユニット４によって、指輪用リング５、ネックレス用チェーン６、隣にある装飾物、隣にある装飾品１(複数の装飾品１を装身具に付ける場合)などに当たり又は摩擦することによる飾りユニット２の損傷を防止することができる。
【００４０】
なお、本考案に係る装飾品１は、管ユニット３と２つの環ユニット４を備えた構成によって、例えば指輪とネックレス（図１０参照）、指輪とブレスレット、ネックレスとブレスレットといった組み合わせに付けることができる。さらに、飾りユニット２は、複数の飾り穴２３を有し、或いは、外表面から突出するように文字状に形成された装飾部２４を有することによって、装身具の美観を向上させることに加え、独自のスタイルをも創ることができる。
【００４１】
以上、本考案の好ましい実施形態を説明したが、本考案はこれに限定されるものではなく、その要旨を逸脱しない範囲で種々変更可能であることはいうまでもない。
【産業上の利用可能性】
【００４２】
本考案に係る装飾品は、飾りユニットを保護させることで、装身具の信頼性を向上させることに有用である。
【符号の説明】
【００４３】
１  装飾品
２  飾りユニット
２１  内部空間
２２  貫孔
２３  飾り穴
２４  装飾部
３  管ユニット
３１  通孔
３２  突出端部
３２１  第１のセクション
３２２  第２のセクション
４  環ユニット
４１  本体部
４１１  内周面
４１２  外周面
４１３  第１の展開面
４１４  第２の展開面
４１５  貫通孔
４２  保持部
４３  飾り部
５  指輪用リング
５１  係合部
６  ネックレス用チェーン
Ｌ  中心軸
【図１】
0003223925.tif 000003
【図２】
0003223925.tif 000004
【図３】
0003223925.tif 000005
【図４】
0003223925.tif 000006
【図５】
0003223925.tif 000007
【図６】
0003223925.tif 000008
【図７】
0003223925.tif 000009
【図８】
0003223925.tif 000010
【図９】
0003223925.tif 000011
【図１０】
0003223925.tif 000012
【手続補正書】
【提出日】令和1年9月6日(2019.9.6)
【手続補正１】
【補正対象書類名】実用新案登録請求の範囲
【補正対象項目名】全文
【補正方法】変更
【補正の内容】
【実用新案登録請求の範囲】
【請求項１】
所定の内部空間を囲むと共に、外表面の反対両側にそれぞれ前記内部空間と連通する２つの貫孔が開くように形成されている飾りユニットと、
軸線に沿って通孔を有する直管状に形成され、両端部が外部に突出するように前記２つの貫孔に挿通していて前記２つの貫孔によって前記内部空間に架設されている管ユニットと、
それぞれ中空を有する環状に形成されていて前記管ユニットの突出した前記両端部である２つの突出端部の一方を外嵌していると共に、前記中空の一端側が該一端側の外へ展開している第１の展開面に形成されていて、該第１の展開面がいずれか１つの前記貫孔の周りにある前記飾りユニットの外表面と当接している２つの環ユニットと、から構成されている
ことを特徴とする装飾品。
【請求項２】
前記各環ユニットは、
中心軸を有する環状に形成され、且つ、該中心軸を取り囲むと共に前記管ユニットを外嵌する貫通孔を内側に形成している内周面と、前記内周面の外側にある外周面を備えた本体部と、
それぞれ前記本体部の前記外周面から突出している複数の保持部と、
それぞれ複数の前記保持部により挟持されて保持されている複数の飾り部と、から構成されている
ことを特徴とする請求項１に記載の装飾品。
【請求項３】
前記２つの環ユニットは、それぞれ前記管ユニットにおける前記２つの突出端部を回動可能に外嵌している
ことを特徴とする請求項１に記載の装飾品。
【請求項４】
前記環ユニットは、前記本体部における前記中空の前記一端側の反対側が該反対側の外へ展開している第２の展開面に形成されていて、
前記管ユニットの前記２つの突出端部は、いずれも外側へ展開していて前記環ユニットの対応する前記第２の展開面と当接している
ことを特徴とする請求項２に記載の装飾品。
【請求項５】
前記飾りユニットは、円球状に形成されている
ことを特徴とする請求項１〜４のいずれか一項に記載の装飾品。
【請求項６】
前記飾りユニットは、複数の飾り穴を有するように構成されている
ことを特徴とする請求項１〜５のいずれか一項に記載の装飾品。
【請求項７】
前記各飾り穴は、三角形状、水滴形状、菱形状、円形状、長方形状、正方形状のいずれか１つに形成されている
ことを特徴とする請求項６に記載の装飾品。
【請求項８】
前記飾りユニットは、文字状に形成された装飾部を有するように構成されている
ことを特徴とする請求項１〜５のいずれか一項に記載の装飾品。
【請求項９】
請求項１〜請求項８のいずれか１項に記載の装飾品と、
前記装飾品における前記管ユニットの前記通孔に通すように連結されたネックレス用チェーンと、を備えている
ことを特徴とする装身具。
【請求項１０】
請求項１〜請求項８のいずれか１項に記載の装飾品と、
Ｃ字状に形成されていると共に、両端が互いに向かうように延伸していてそれぞれ前記管ユニットの前記突出端部から前記通孔に係入している２つの係合部を有している指輪用リングと、を備えている
ことを特徴とする装身具。
【請求項１１】
請求項１〜請求項８のいずれか１項に記載の装飾品と、
前記装飾品における前記管ユニットの前記通孔に通すように連結されたネックレス用チェーンと、
Ｃ字状に形成されていると共に、両端が互いに向かうように延伸していてそれぞれ前記管ユニットの前記突出端部から前記通孔に係入している２つの係合部を有している指輪用リングと、を備えている
ことを特徴とする装身具。